(57)【特許請求の範囲】
【請求項１】
表示手段に表示を行う表示アプリケーションを記憶する記憶手段と、
ネットワークを介した通信装置から、前記通信装置がデータを提供するネットワークサービスの一覧情報と、当該一覧情報に含まれるネットワークサービス毎の接続先を示す接続先情報と、当該一覧情報に含まれるネットワークサービス毎に対応づけられた設定情報であって、当該ネットワークサービスからデータを受け付けるために前記表示アプリケーションに対する設定を示した設定情報と、を受信する受信手段と、
前記表示アプリケーションを用いて前記一覧情報を表示する制御を行う表示制御手段と、
表示された前記一覧情報に含まれている前記ネットワークサービスの選択を受け付ける受付手段と、
選択を受け付けた前記ネットワークサービスと対応づけられた前記設定情報に従って、前記表示アプリケーションを設定し、当該ネットワークサービスと対応付けられていた前記接続先情報で識別される接続先から受信した前記データを前記表示アプリケーションに表示させる設定制御手段と、
を備えるテレビジョン装置。
【請求項２】
前記受信手段は、さらに、前記ネットワークサービス毎に対応付けられた、前記表示アプリケーションを起動させる起動モードを示した情報を受信し、
設定制御手段は、前記表示アプリケーションを起動させる際に、選択を受け付けた前記ネットワークサービスと対応付けられた前記起動モードを用いる、
請求項１に記載のテレビジョン装置。
【請求項３】
前記記憶手段は、さらに、複数の表示アプリケーションを記憶し、
前記受信手段は、さらに、前記一覧情報に含まれるネットワークサービス毎に、当該ネットワークサービスからのデータの表示に用いる表示アプリケーションを識別するアプリケーション識別情報を受信し、
前記設定制御手段は、前記アプリケーション識別情報で識別される前記表示アプリケーションに前記データを表示させること、
を特徴とする請求項１又は２に記載のテレビジョン装置。
【請求項４】
前記記憶手段は、さらに、前記表示アプリケーションで表示するデータを提供しているネットワークサービスの一覧を示した装置内一覧情報を記憶し、
前記表示制御手段は、自装置が前記通信装置と接続されていない場合に、前記記憶手段に記憶されている前記装置内一覧情報を表示し、自装置が前記通信装置と接続した場合に前記受信手段が受信した前記一覧情報を表示すること、
を特徴とする請求項１乃至３のいずれか１つに記載のテレビジョン装置。
【請求項５】
前記受信手段は、前記通信装置から、各ネットワークサービスが提供しているデータを識別するデータ識別情報を受信し、
前記表示制御手段は、前記データ識別情報を表示し、
前記受付手段が、前記データ識別情報の選択を受け付け、
前記設定制御手段は、選択を受け付けた前記データ識別情報で識別されるデータを提供するネットワークサービスと対応づけられた前記設定情報に従って、前記表示アプリケーションを設定すること、
を特徴とする請求項１乃至４のいずれか１つに記載のテレビジョン装置。
【請求項６】
ネットワークを介した通信装置から、前記通信装置がデータを提供するネットワークサービスの一覧情報と、当該一覧情報に含まれるネットワークサービス毎の接続先を示す接続先情報と、当該一覧情報に含まれるネットワークサービス毎に対応づけられた設定情報であって、当該ネットワークサービスからデータを受け付けるために、表示手段に表示する表示アプリケーションに対する設定を示した設定情報と、を受信する受信手段と、
前記表示アプリケーションを用いて前記一覧情報を表示する制御を行う表示制御手段と、
表示された前記一覧情報に含まれている前記ネットワークサービスの選択を受け付ける受付手段と、
選択を受け付けた前記ネットワークサービスと対応づけられた前記設定情報に従って、前記表示アプリケーションを設定し、当該ネットワークサービスと対応付けられていた前記接続先情報で識別される接続先から受信した前記データを前記表示アプリケーションに表示させる設定制御手段と、
を備える受信装置。
【請求項７】
テレビジョン装置で実行される表示制御方法であって、
前記テレビジョン装置が、表示手段に表示を行う表示アプリケーションを記憶する記憶手段を備え、
受信手段が、ネットワークを介した通信装置から、前記通信装置がデータを提供するネットワークサービスの一覧情報と、当該一覧情報に含まれるネットワークサービス毎の接続先を示す接続先情報と、当該一覧情報に含まれるネットワークサービス毎に対応づけられた設定情報であって、当該ネットワークサービスからデータを受け付けるために前記表示アプリケーションに対する設定を示した設定情報と、を受信する受信ステップと、
表示制御手段が、前記表示アプリケーションを用いて前記一覧情報を表示する制御を行う表示制御ステップと、
受付手段が、表示された前記一覧情報に含まれている前記ネットワークサービスの選択を受け付ける受付ステップと、
設定制御手段が、選択を受け付けた前記ネットワークサービスと対応づけられた前記設定情報に従って、前記表示アプリケーションを設定し、当該ネットワークサービスと対応付けられていた前記接続先情報で識別される接続先から受信した前記データを前記表示アプリケーションに表示させる設定制御ステップと、
を含む表示制御方法。
【請求項８】
受信装置で実行される表示制御方法であって、
受信手段が、ネットワークを介した通信装置から、前記通信装置がデータを提供するネットワークサービスの一覧情報と、当該一覧情報に含まれるネットワークサービス毎の接続先を示す接続先情報と、当該一覧情報に含まれるネットワークサービス毎に対応づけられた設定情報であって、当該ネットワークサービスからデータを受け付けるために、表示手段に表示する表示アプリケーションに対する設定を示した設定情報と、を受信する受信ステップと、
表示制御手段が、前記表示アプリケーションを用いて前記一覧情報を表示する制御を行う表示制御ステップと、
受付手段が、表示された前記一覧情報に含まれている前記ネットワークサービスの選択を受け付ける受付ステップと、
設定制御手段が、選択を受け付けた前記ネットワークサービスと対応づけられた前記設定情報に従って、前記表示アプリケーションを設定し、当該ネットワークサービスと対応付けられていた前記接続先情報で識別される接続先から受信した前記データを前記表示アプリケーションに表示させる設定制御ステップと、
を含む表示制御方法。
【発明の詳細な説明】
【技術分野】
【０００１】
本発明の実施形態は、テレビジョン装置、受信装置、及び表示制御方法に関する。
【背景技術】
【０００２】
近年、インターネット回線に接続するための通信機能を備え、ネットワーク経由で配信される動画コンテンツを視聴可能にするデジタルテレビジョン放送受信装置が提案されている。
【０００３】
このようなデジタルテレビジョン放送受信装置に対して、ネットワーク経由で様々なコンテンツがネットワークサービスから提供されている。そこで、ネットワークサービスから提供される様々なコンテンツの中から、ユーザが所望するコンテンツの検索、視聴するために様々な技術が提案されている。
【先行技術文献】
【特許文献】
【０００４】
【特許文献１】特表２００８−５０７００４号公報
【発明の概要】
【発明が解決しようとする課題】
【０００５】
しかしながら、このようなコンテンツを提供するネットワークサービスは複数存在する。そして、これら複数のネットワークサービスにおいては、ネットワークサービス毎に、コンテンツを表示するための設定が異なる。このため、これらコンテンツを表示するための表示アプリケーション（例えばＷｅｂブラウザ）一個では、これら全てのネットワークサービスに対応することができない。このため、複数のネットワークサービスの各コンテンツを表示するためには、表示アプリケーションを複数起動したり、一つの表示アプリケーションについて起動モードを変更した上で再起動する必要があった。このため、複数のネットワークサービスのなかから、所望するコンテンツを探し出すのは困難であった。
【０００６】
本発明は、上記に鑑みてなされたものであって、複数のネットワークサービスから、視聴可能なコンテンツを提供するネットワークサービスを選択可能にするテレビジョン装置、及び表示制御方法を提供することを目的とする。
【課題を解決するための手段】
【０００７】
実施形態のテレビジョン装置は、受信手段と、表示制御手段と、受付手段と、設定制御手段と、を備える。受信手段は、ネットワークを介した通信装置から、通信装置がデータを提供するネットワークサービスの一覧情報と、当該一覧情報に含まれるネットワークサービス毎の接続先を示す接続先情報と、ネットワークサービス毎にデータを受け付けるために、表示手段に表示する表示アプリケーションに対する設定を示した設定情報と、を受信する。表示制御手段は、表示アプリケーションを用いて一覧情報を表示する制御を行う。受付手段は、表示された一覧情報に含まれているネットワークサービスの選択を受け付ける。設定制御手段は、選択を受け付けたネットワークサービスと対応づけられた設定情報に従って、表示アプリケーションを設定し、接続先情報で識別される接続先から受信したデータを表示アプリケーションに表示させる。
【図面の簡単な説明】
【０００８】
【図１】図１は、第１の実施形態にかかるネットワーク構成を示した図である。
【図２】図２は、第１の実施形態にかかるデジタルテレビジョン放送受信装置のハードウェア構成を示した図である。
【図３】図３は、第１の実施形態にかかるデジタルテレビジョン放送受信装置の制御部により実現されるソフトウェア構成を示したブロック図である。
【図４】図４は、第１の実施形態にかかるデジタルテレビジョン放送受信装置の表示制御部が、ＲＯＭに格納された一覧画面情報を表示した場合の画面例を示した図である。
【図５】図５は、第１の実施形態にかかるデジタルテレビジョン放送受信装置の受信部が受信した一覧画面情報の例を示した図である。
【図６】図６は、第１の実施形態にかかるデジタルテレビジョン放送受信装置の表示制御部が、受信した一覧画面情報を表示した場合の第１の画面例を示した図である。
【図７】図７は、第１の実施形態にかかるデジタルテレビジョン放送受信装置の表示制御部が、受信した一覧画面情報を表示した場合の第２の画面例を示した図である。
【図８】図８は、第１の実施形態にかかるデジタルテレビジョン放送受信装置の表示制御部が、第１のＷｅｂブラウザに表示した、選択可能な事業者名の一覧画面を示した図である。
【図９】図９は、第１の実施形態にかかるネットワーク上の各機器において、デジタルテレビジョン放送受信装置がコンテンツを表示するまでの処理の手順を示すシーケンス図である。
【図１０】図１０は、第１の実施形態にかかるデジタルテレビジョン放送受信装置の表示制御部が表示したおすすめコンテンツの一覧画面の例を示した図である。
【図１１】図１１は、第１の実施形態にかかるネットワーク構成において、デジタルテレビジョン放送受信装置がおすすめコンテンツ一覧画面に基づいてコンテンツを表示するまでの処理の手順を示すシーケンス図である。
【発明を実施するための形態】
【０００９】
（第１の実施形態）
図１は、第１の実施形態にかかるネットワーク構成を示した図である。図１に示す実施形態では、テレビジョン装置をデジタルテレビジョン装置に適用した例とする。
【００１０】
図１に示す例では、家庭内などのネットワーク環境において、無線ルータ１２０と、デジタルテレビジョン放送受信装置１００と、が接続されている。そして、デジタルテレビジョン放送受信装置１００は、インターネットなどの通信ネットワーク１８０を介して、おすすめ管理サーバ１５０、第１の事業者サーバ１６１、第２の事業者サーバ１６２と、接続されている。なお、図１では省略しているが、第３、第４、第５の事業者サーバも通信ネットワーク１８０と接続されている。なお、本実施形態では、事業者サーバの数が５個の例について説明するが、事業者サーバの数を制限するものではなく、５個より多くとも少なくとも良い。
【００１１】
第１の事業者サーバ１６１、第２の事業者サーバ１６２、及び第３〜５の事業者サーバは、デジタルテレビジョン放送受信装置１００に対してコンテンツを提供するサーバ群とする。そして、第１の事業者サーバ１６１、第２の事業者サーバ１６２、及び第３〜５の事業者サーバが提供するコンテンツは、デジタルテレビジョン放送受信装置１００に備えられたＷｅｂブラウザを用いて表示される。そして、これらコンテンツをＷｅｂブラウザで表示する際に、第１の事業者サーバ１６１、第２の事業者サーバ１６２、及び第３〜５の事業者サーバは、Ｗｅｂブラウザに対して異なる設定を要求する。このため、任意の事業者サーバが提供するコンテンツをＷｅｂブラウザが表示している場合に、他の事業者サーバが提供するコンテンツをＷｅｂブラウザに表示しようとした場合に、デジタルテレビジョン放送受信装置１００は、事業者サーバ毎にＷｅｂブラウザを複数起動させる、若しくは他の事業者サーバのコンテンツを表示する際に、Ｗｅｂブラウザを再起動させる必要がある。このように本実施形態では、コンテンツを提供するネットワークサービスが、各事業者サーバの場合について説明する。
【００１２】
おすすめ管理サーバ１５０は、提供可能なコンテンツ又は事業者サーバに関する情報を、デジタルテレビジョン放送受信装置１００に対して提供するサーバとする。おすすめ管理サーバ１５０は、第１の事業者サーバ１６１、第２の事業者サーバ１６２、及び第３〜５の事業者サーバがコンテンツを提供しているか否か、又は各事業者サーバが提供するおすすめのコンテンツに関する情報を記憶する。つまり、デジタルテレビジョン放送受信装置１００から、事業者サーバに対してコンテンツを確認する際に、事業者サーバ毎に設定が異なる。これに対して、本実施形態ではおすすめ管理サーバ１５０から各事業者サーバの情報を提供するため、デジタルテレビジョン放送受信装置１００は、Ｗｅｂブラウザの再起動や複数起動を行うことなく、複数の事業者サーバの情報を確認できる。
【００１３】
図２は、デジタルテレビジョン放送受信装置１００のハードウェア構成を示した図である。デジタルテレビジョン放送受信装置１００は、チューナ部２０２、ＴＳ分離部２０３、デスクランブラ部２０４、ＡＶデコード部２０５、表示処理部２０６、ＣＡＳ制御部２０７、ＣＡＳカード２０８、制御部２０９、グラフィック処理部２１０、入力処理部２１１、通信処理部２１２、データ管理部２１３、および記録媒体部２１４、ＲＡＭ２１５、外部入出力処理部２１６、ＲＯＭ２１７を備える。
【００１４】
チューナ部２０２は、デジタルテレビジョン放送受信装置１００に入力された放送波から所望のチャンネルを選局し、この選局したチャンネルのトランスポートストリーム（以下、ＴＳと記す）をＴＳ分離部２０３へ出力する。
【００１５】
ＴＳ分離部２０３は、チューナ部２０２から入力されたＴＳから必要なパケットを分離し、この分離したパケットから更に、放送番組信号（映像、音声）の抽出や各種多重データ（各種ＳＩ（Service  Information）データやＥＣＭ，ＥＭＭ等）を分離する。また、ＴＳ分離部２０３は、分離した放送番組信号（映像、音声）をデスクランブラ部２０４に供給する。
【００１６】
デスクランブラ部２０４は、ＣＡＳ制御部２０７を介して接続されるＣＡＳカード２０８から得られるスクランブル鍵が設定されて、ＴＳのデスクランブル処理を行い、ＡＶデコード部２０５に出力する。
【００１７】
ＡＶデコード部２０５は、デスクランブラ部２０４から入力された放送番組信号（映像、音声）のデコードを行い、表示処理部２０６へ出力する。
【００１８】
表示処理部２０６は、ＡＶデコード部２０５から入力された放送番組信号（映像、音声）を図示しない外部のモニタである表示装置へ出力し、表示・音声再生させる。
【００１９】
また、表示処理部２０６は、グラフィック処理部２１０で作成されたデータを上記ＡＶ信号と切り替えもしくは双方を合成して出力する機能も有する。
【００２０】
通信処理部２１２は、Ｅｔｈｅｒｎｅｔ（登録商標）等のネットワーク回線に接続され、ネットワークを介してデータの送受信を行う。例えば、通信処理部２１２は、各事業者サーバから提供されるコンテンツの受信、おすすめ管理サーバ１５０から提供される各事業者サーバに関する情報の受信、を行う機能を有する。受信した情報は、制御部２０９等に出力される。
【００２１】
記録媒体部２１４は、読み書き可能な記録媒体とする。外部入出力処理部２１６は例えばＳＤカードＩ／Ｆのような記録メディアの読み書きを行うものやＵＳＢＩ／Ｆのような標準Ｉ／Ｆ機能であり、接続された機器やメディアに対して読み書きを行う。
【００２２】
データ管理部２１３は、通信処理部２１２や外部入出力処理部２１６から入力されたデータを管理し、データの利用判定や記録媒体部２１４への記録制御、グラフィック処理部２１０へのデータ供給を行う。また、データ管理部２１３は、記録媒体部２１４に記憶された情報の読み出し及び書き込みを行う。
【００２３】
ＲＯＭ２１７は、制御部２０９が読み出して実行するためのプログラムを記憶する。さらにＲＯＭ２１７は、Ｗｅｂブラウザで表示するコンテンツを提供している事業者サーバの一覧を示した装置内一覧情報を記憶する。さらに、ＲＯＭ２１７は、装置内一覧情報に示された各事業者サーバと接続するための情報も記憶している。さらに、ＲＯＭ２１７は、おすすめ管理サーバ１５０のＵＲＬを記憶している。
【００２４】
制御部２０９は、デジタルテレビジョン放送受信装置１００全体を制御する。例えば、制御部２０９は、バス接続やシリアル通信接続等で接続されたデジタルテレビジョン放送受信装置１００内の各ブロックによる機能を制御する。さらに、制御部２０９は、ＲＯＭ２１７からプログラムを読み出し、当該プログラムを実行することで様々な機能を実現する。
【００２５】
ＲＡＭ２１５は、制御部２０９の作業領域として用いられる。例えば、ＲＡＭ２１５は、おすすめ管理サーバ１５０から受信した、事業者サーバの一覧画面情報等を格納する。
【００２６】
図３は、制御部２０９が、ＲＡＭ２１５に格納されていたコンテンツ処理プログラムを読み出した場合に実現されるソフトウェア構成を示したブロック図である。図３に示すように、デジタルテレビジョン放送受信装置１００の制御部２０９では、第１のＷｅｂブラウザ３０１と、第２のＷｅｂブラウザ３０２と、表示制御部３０３と、送信部３０４と、受信部３０５と、選択受付部３０６と、設定制御部３０７と、をソフトウェア構成として実現する。
【００２７】
第１のＷｅｂブラウザ３０１、及び第２のＷｅｂブラウザ３０２は、表示制御部３０３の制御に従って、図２の表示処理部２０６にデータを表示させる。表示するデータとしては、各事業者サーバから提供されるコンテンツ等がある。
【００２８】
表示制御部３０３は、表示処理部２０６に対してデータを表示させる制御を行う。例えば、表示制御部３０３は、コンテンツを提供する事業者サーバの一覧画面情報を表示させる制御を行う。表示制御部３０３が表示する一覧画面情報は、予めＲＡＭ２１５に格納されている。
【００２９】
図４は、表示制御部３０３が、ＲＯＭに格納された一覧画面情報を表示した場合の画面例を示した図である。図４に示す一覧画面情報は、ツリー構造であり、上位階層に“ブロードバンド”があり、その下位階層に“第１の事業者”、“第２の事業者”、“第３の事業者”、及び“第４の事業者”が選択可能に表示される。本実施形態にかかる表示制御部３０３は、図４に示す一覧画面情報を、第１のＷｅｂブラウザ３０１及び第２のＷｅｂブラウザ３０２を介さずに表示する例とするが、第１のＷｅｂブラウザ３０１又は第２のＷｅｂブラウザ３０２を介して表示しても良い。
【００３０】
受信部３０５は、ネットワークを介して接続されたサーバ（例えば、おすすめ管理サーバ１５０、第１の事業者サーバ１６１、第２の事業者サーバ１６２）から、通信処理部２１２を介して情報を受信する。
【００３１】
ところで、デジタルテレビジョン放送受信装置１００が対応するコンテンツを提供する事業者サーバ（ネットワークサービス）の増減が生じる場合がある。このような場合に、ＲＡＭ２１５に格納されている一覧画面情報から変更が生じることになる。また、事業者サーバによるサービスの途中終了などによって、ＲＡＭ２１５に格納された一覧画面情報には記載されているが、当該事業者サーバによるサービスが起動できない等の不具合が発生する。このため、デジタルテレビジョン放送受信装置１００が、Ｗｅｂブラウザ（例えば第１のＷｅｂブラウザ３０１）から、共通のポータルにアクセスすることも考えられるが、すべての事業者サーバのサービスに当該ブラウザが対応できず、複数のブラウザを切り替えたり、同じブラウザでも起動モードを変えて立ち上げなおす必要がある。そこで、受信部３０５が、一覧画面情報を受信することとした。
【００３２】
例えば、受信部３０５は、通信ネットワーク１８０を介した、おすすめ管理サーバ１５０から、Ｗｅｂブラウザで表示するコンテンツを提供している事業者サーバが表示される一覧画面情報を受信する。一覧画面情報には、事業者サーバ毎の接続先を示すＵＲＬと、当該事業者サーバ毎に対応づけられた設定情報であって、当該事業者サーバからコンテンツを受け付けるＷｅｂブラウザ名と、Ｗｅｂブラウザに対して行う設定を示した設定情報と、が含まれている。このように、受信部３０５は、一覧画面情報に含まれる事業者サーバ毎に、当該事業者サーバからのコンテンツの表示に用いるＷｅｂブラウザを識別するＷｅｂブラウザ名を受信可能とする。
【００３３】
図５は、受信部３０５が受信した一覧画面情報の例を示した図である。図５に示すように、一覧画面情報には、“表示形式”と、事業者サーバを識別する事業者名とが、含まれている。この事業者名は、一覧画面情報で選択可能な項目として表示される。さらに、事業者サーバ毎に、ＵＲＬと、事業者サーバからコンテンツを受け付けるために必要なＷｅｂブラウザと、当該Ｗｅｂブラウザを起動させる際の起動モードと、Ｗｅｂブラウザに対して必要な設定となる制御オプションと、が対応付けられている。本実施の形態では、設定情報の例として、起動モード及び制御オプションを用いることとしたが、その他Ｗｅｂブラウザに対して設定する情報を含めてもよく、Ｗｅｂブラウザだけでなく受信装置に設定する、もしくは受信装置に設定されている情報を取得するための情報でもよい。つまり、Ｗｅｂブラウザからアクセスする際に付加するuseragentとして受信機内部に保持しているいくつかのID情報等から所望のもの選択させるような指示情報でもよい。
【００３４】
そして、表示制御部３０３は、受信した一覧画面情報に示された事業者名を選択可能な項として、当該一覧画面情報に示された“表示形式”に従って表示する制御を行う。
【００３５】
図６は、受信した一覧画面情報を、表示制御部３０３が表示した場合の画面例を示した図である。図６に示す画面例は、図４に示した画面例と同様にツリー構造となっている。図６に示す画面例は、図４に示した画面例と比べて、選択可能な項目として“第５の事業者”が追加された例とする。なお、この画面例は、テレビジョン放送受信装置１００に対してコンテンツを提供するサーバとして、第５の事業者サーバが増加したために変更されたものとする。
【００３６】
また、受信した一覧画面情報に基づいて表示制御部３０３が表示する画面例は、図６に示す例に制限するものではない。そこで、他の画面例として図７を示す。図７に示す画面例では、図４に示した画面例と比べて、選択可能な項目として“第４の事業者”が削除され、“第５の事業者”が追加された例とする。なお、この画面例は、テレビジョン放送受信装置１００に対してコンテンツを提供するサーバとして、第５の事業者サーバの増加と第４の事業者サーバの減少と、が生じたために変更された例とする。このように、本実施形態にかかるデジタルテレビジョン放送受信装置１００では、コンテンツを提供する事業者サーバの増減に合わせて、一覧画面に表示される項目を増減させることができる。
【００３７】
つまり、表示制御部３０３は、デジタルテレビジョン放送受信装置１００がおすすめ管理サーバ１５０と接続されていない場合に、ＲＯＭ２１７に記憶されている装置内一覧情報に基づく画面例を表示し、デジタルテレビジョン放送受信装置１００がおすすめ管理サーバ１５０と接続した場合に受信部３０５が受信した一覧画面情報に基づく一覧画面を表示する。
【００３８】
また、表示制御部３０３が、表示する一覧画面は、図４、図６及び図７に示す例に制限するものではなく、Ｗｅｂブラウザ上に、事業者一覧を表示しても良い。図８は、表示制御部３０３が、第１のＷｅｂブラウザ３０１に表示した、選択可能な事業者名の一覧画面を示した図である。図８に示す一覧画面は、おすすめ管理サーバ１５０から受信した一覧画面情報に基づいて表示されたものとする。受信した一覧画面情報には、一覧画面に示された事業者毎に、コンテンツの提供を受け付けるための様々な情報が含まれている（例えば、ＵＲＬ、起動ブラウザ、起動モード、制御オプション）。
【００３９】
選択受付部３０６は、表示制御部３０３により表示された一覧画面情報に含まれている、事業者名（事業者サーバ）の選択を受け付ける。
【００４０】
送信部３０４は、ネットワークを介して接続されたサーバ（例えば、おすすめ管理サーバ１５０、第１の事業者サーバ１６１、第２の事業者サーバ１６２）に対して、通信処理部２１２を介して情報を送信する。
【００４１】
例えば、送信部３０４は、選択受付部３０６により選択された事業者サーバに対して、コンテンツの取得要求を送信する。
【００４２】
設定制御部３０７は、選択受付部３０６が選択を受け付けた事業者サーバと、一覧画面情報において対応づけられていた起動ブラウザで識別されるＷｅｂブラウザ（第１のＷｅｂブラウザ３０１又は第２のＷｅｂブラウザ３０２）を起動させる。その際、当該事業者サーバと対応付けられていた起動モードを用いる。さらに、設定制御部３０７は、選択を受け付けた事業者サーバと対応付けられていた制御オプションなどの設定情報に従って、Ｗｅｂブラウザ（第１のＷｅｂブラウザ３０１又は第２のＷｅｂブラウザ３０２）を設定する。その後、設定制御部３０７は、表示制御部３０３を介して、選択を受け付けた事業者サーから受信したコンテンツを、起動したＷｅｂブラウザに表示させる。
【００４３】
次に、本実施形態にかかるネットワーク構成において、デジタルテレビジョン放送受信装置１００がコンテンツを表示するまでの処理について説明する。図９は、本実施形態にかかるネットワーク上の各機器における上述した処理の手順を示すシーケンス図である。
【００４４】
まず、デジタルテレビジョン放送受信装置１００は、ユーザからの電源ＯＮの操作を受け付ける（ステップＳ９０１）。これにより、デジタルテレビジョン放送受信装置１００は、起動を開始する（ステップＳ９０２）。
【００４５】
次に、デジタルテレビジョン放送受信装置１００の選択受付部３０６は、ユーザから、コンテンツを提供している事業者サーバの一覧の表示要求を受け付ける（ステップＳ９０３）。
【００４６】
なお、この段階では、ネットワークに遅延がある等の理由により、デジタルテレビジョン放送受信装置１００は、通信ネットワーク１８０と接続されておらず、おすすめ管理サーバ１５０と接続できないものとする。この場合、デジタルテレビジョン放送受信装置１００の表示制御部３０３は、ＲＯＭ２１７内に記憶されている一覧画面情報に従って、事業者サーバのオフライン一覧表示を行う（ステップＳ９０４）。なお、表示される画面例としては図４とする。
【００４７】
この後、ネットワークの正常化により、デジタルテレビジョン放送受信装置１００と、おすすめ管理サーバ１５０と、の間で通信が確立されたものとする（ステップＳ９０５）。
【００４８】
この場合、デジタルテレビジョン放送受信装置１００の送信部３０４が、通信処理部２１２を介して、おすすめ管理サーバ１５０に対して、一覧画面情報の取得要求を送信する（ステップＳ９０６）。
【００４９】
その後、デジタルテレビジョン放送受信装置１００が、おすすめ管理サーバ１５０から、一覧画面情報を受信する（ステップＳ９０７）。これにより、デジタルテレビジョン放送受信装置１００の表示制御部３０３は、受信した一覧画面情報に従って、事業者サーバのオンライン一覧表示を行う（ステップＳ９０８）。なお、表示される画面例としては図６とする。
【００５０】
そして、選択受付部３０６が、ユーザから、事業者サーバの選択を受け付ける（ステップＳ９０９）。本シーケンスでは第１の事業者サーバ１６１が選択されたものとする。
【００５１】
当該選択の受け付けにより、設定制御部３０７が、選択を受け付けた事業者サーバと一覧画面情報で対応付けられた各情報に従って、起動ブラウザ、起動モード、及び制御オプションなどの、Ｗｅｂブラウザに関する起動設定を特定する（ステップＳ９１０）。
【００５２】
そして、設定制御部３０７が起動設定に含まれている起動ブラウザで識別されるＷｅｂブラウザ（例えば、第１のＷｅｂブラウザ３０１又は第２のＷｅｂブラウザ３０２）を特定し、特定された起動設定（起動モード及び制御オプション）で、当該Ｗｅｂブラウザを起動させる（ステップＳ９１１）。ユーザに選択された事業者サーバに適したＷｅｂブラウザの起動が行われたこととなる。
【００５３】
その後、起動したＷｅｂブラウザ（例えば、第１のＷｅｂブラウザ３０１又は第２のＷｅｂブラウザ３０２）からの指示に従って、送信部３０４が、第１の事業者サーバ１６１に対して、コンテンツの取得要求を送信する（ステップＳ９１２）。なお、当該コンテンツの取得要求には、起動したＷｅｂブラウザに関する情報が含まれていても良い。
【００５４】
当該コンテンツの取得要求を受信した第１の事業者サーバ１６１は、コンテンツを、デジタルテレビジョン放送受信装置１００に対して送信する（ステップＳ９１３）。送信する前に、第１の事業者サーバ１６１は、受信した情報に基づいて、送信先のデジタルテレビジョン放送受信装置１００で、適切な設定に従ってＷｅｂブラウザが起動しているか確認しても良い。
【００５５】
そして、デジタルテレビジョン放送受信装置１００の受信部３０５が、コンテンツを受信した場合に、表示制御部３０３は、設定制御部３０７からの制御に従って、Ｗｅｂブラウザに受信したコンテンツを表示する（ステップＳ９１４）。
【００５６】
上述した処理手順により、所望する事業者サーバから提供されたコンテンツを表示することができる。
【００５７】
また、本実施形態にかかるデジタルテレビジョン放送受信装置１００が、表示する情報は、事業者サーバに関する情報に制限するものではなく、コンテンツに関する情報を表示しても良い。例えば、デジタルテレビジョン放送受信装置１００の受信部３０５が、おすすめ管理サーバ１５０から、各事業者サーバが提供しているコンテンツを識別する情報（例えばコンテンツ名）を受信する。そして、表示制御部３０３が、受信したコンテンツ名を表示制御する。
【００５８】
図１０は、表示制御部３０３が表示するおすすめコンテンツの一覧画面の例を示した図である。図１０に示すように、事業者が進めるコンテンツが、事業者サーバと対応付けて表示される。そして、表示された一覧画面を介して、選択受付部３０６が、ユーザからコンテンツ名の選択を受け付ける。
【００５９】
そして、設定制御部３０７は、選択を受け付けたコンテンツ名で識別されるコンテンツを提供する事業者サーバと対応づけられた起動設定に従って、Ｗｅｂブラウザを設定する。そして、当該事業者サーバからコンテンツを受信した場合に、設定制御部３０７の制御に従って、表示制御部３０３が、Ｗｅｂブラウザに対して、コンテンツを表示する制御を行う。
【００６０】
次に、本実施形態にかかるネットワーク構成において、デジタルテレビジョン放送受信装置１００がおすすめコンテンツ一覧画面に基づいてコンテンツを表示するまでの処理について説明する。図１１は、本実施形態にかかるネットワーク上の各機器における上述した処理の手順を示すシーケンス図である。
【００６１】
まず、おすすめ管理サーバ１５０が、第１の事業者サーバ１６１に対して、おすすめ情報の取得要求を送信する（ステップＳ１１０１）。そして、第１の事業者サーバ１６１が、おすすめコンテンツを識別する情報を、おすすめ管理サーバ１５０に対して送信する（ステップＳ１１０２）。おすすめコンテンツに関する送受信は、おすすめ管理サーバ１５０及び第２の事業者サーバ１６２の間でも行われる（ステップＳ１１０３〜Ｓ１１０４）。
【００６２】
そして、デジタルテレビジョン放送受信装置１００は、ユーザからの情報の取得要求を受け付ける（ステップＳ１１０５）。なお、情報の取得要求に制限するものではなく、電源ＯＮ等の操作でも良い。なお、デジタルテレビジョン放送受信装置１００と、おすすめ管理サーバ１５０と、の間の通信は既に確立しているものとする。
【００６３】
これに伴い、デジタルテレビジョン放送受信装置１００の送信部３０４が、通信処理部２１２を介して、おすすめ管理サーバ１５０に対して、おすすめコンテンツを識別する情報の取得要求を送信する（ステップＳ１１０６）。
【００６４】
その後、デジタルテレビジョン放送受信装置１００が、おすすめ管理サーバ１５０から、各事業者サーバから取得した、各事業者サーバのおすすめコンテンツを識別する情報を受信する（ステップＳ１１０７）。これにより、デジタルテレビジョン放送受信装置１００の表示制御部３０３は、受信したおすすめコンテンツを識別する情報に従って、各事業者サーバのおすすめコンテンツ一覧表示を行う（ステップＳ１１０８）。なお、表示される画面例としては図１０とする。
【００６５】
そして、選択受付部３０６が、ユーザから、第１の事業者サーバ１６１のコンテンツの選択を受け付ける（ステップＳ１１０９）。例えば、図１０の“ＡＡＡＡＡＡＡＡＡＡ”が選択されたものとする。
【００６６】
当該選択の受け付けにより、設定制御部３０７が、選択を受け付けた第１の事業者サーバ１６１に対応する起動設定である、第１のＷｅｂブラウザ３０１、起動モード＝１、及び制御オプション＝４を特定する（ステップＳ１１１０）。
【００６７】
そして、設定制御部３０７が、第１のＷｅｂブラウザ３０１を、起動モード＝１及び制御オプション＝４で起動させる（ステップＳ１１１１）。
【００６８】
その後、第１のＷｅｂブラウザ３０１からの指示に従って、送信部３０４が、第１の事業者サーバ１６１に対して、コンテンツの取得要求を送信する（ステップＳ１１１２）。なお、当該コンテンツの取得要求には、起動したＷｅｂブラウザに関する情報が含まれている。
【００６９】
当該コンテンツの取得要求を受信した第１の事業者サーバ１６１は、取得要求に含まれていた情報から、送信先のデジタルテレビジョン放送受信装置１００で起動モード＝１で第１のＷｅｂブラウザ３０１が起動していることを確認する（ステップＳ１１１３）。その後、第１の事業者サーバ１６１が、コンテンツを、デジタルテレビジョン放送受信装置１００に対して送信する（ステップＳ１１１４）。
【００７０】
そして、デジタルテレビジョン放送受信装置１００の受信部３０５が、コンテンツを受信した場合に、表示制御部３０３は、設定制御部３０７からの制御に従って、第１のＷｅｂブラウザ３０１に受信したコンテンツを表示する（ステップＳ１１１５）。
【００７１】
その後、選択受付部３０６が、おすすめコンテンツ一覧画面を介して、ユーザから、第１の事業者サーバ１６１のコンテンツの選択を受け付ける（ステップＳ１１１６）。例えば、図１０の“ＢＢＢＢＢＢＢＢＢＢ”が選択されたものとする。
【００７２】
当該選択の受け付けにより、設定制御部３０７が、選択を受け付けた第２の事業者サーバ１６２に対応する起動設定である、第１のＷｅｂブラウザ３０１、起動モード＝２、及び制御オプション＝３を特定する（ステップＳ１１１７）。この特定された起動設定は、第１の事業者サーバの起動設定とは異なるため、新たに第１のＷｅｂブラウザ３０１を起動する必要がある。
【００７３】
そこで、設定制御部３０７が、第１のＷｅｂブラウザ３０１を、起動モード＝２及び制御オプション＝３で起動させる（ステップＳ１１１８）。
【００７４】
その後、第１のＷｅｂブラウザ３０１からの指示に従って、送信部３０４が、第２の事業者サーバ１６２に対して、コンテンツの取得要求を送信する（ステップＳ１１１９）。なお、当該コンテンツの取得要求を受信した第２の事業者サーバ１６２は、送信先のＷｅｂブラウザの確認は行わないものとする。
【００７５】
この場合、当該コンテンツの取得要求を受信した第２の事業者サーバ１６２は、コンテンツを、デジタルテレビジョン放送受信装置１００に対して送信する（ステップＳ１１２０）。
【００７６】
そして、デジタルテレビジョン放送受信装置１００の受信部３０５が、コンテンツを受信した場合に、表示制御部３０３は、設定制御部３０７からの制御に従って、第１のＷｅｂブラウザ３０１に受信したコンテンツを表示する（ステップＳ１１２１）。
【００７７】
上述した処理手順により、事業者サーバから提供されたおすすめコンテンツを表示することができる。
【００７８】
本実施形態にかかるデジタルテレビジョン放送受信装置１００では、コンテンツの提供を受け付けるための設定がネットワークサービス（事業者サーバ）毎に異なる場合でも、これらをまとめて一覧表示することで視認性を向上させるとともに、当該一覧からネットワークサービスが選択された場合に、当該ネットワークサービスに適したＷｅｂブラウザ及び設定を、おすすめ管理サーバ１５０から取得するので、ユーザはネットワークサービス毎の設定の違いを意識する必要がなくなるため、違和感の少ない動作が期待できる。これによりコンテンツを視聴する際の利便性を向上させる。
【００７９】
なお、上述した実施形態のデジタルテレビジョン放送受信装置１００で実行されるコンテンツ処理プログラムは、ＲＯＭ等に予め組み込まれて提供される。
【００８０】
上述した実施形態のデジタルテレビジョン放送受信装置１００で実行されるコンテンツ処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００８１】
さらに、上述した実施形態のデジタルテレビジョン放送受信装置１００で実行されるコンテンツ処理プログラムを、インターネット等のネットワークに接続されたコンピュータ上に格納し、ネットワーク経由でダウンロードさせることにより提供するように構成しても良い。また、上述した実施形態のデジタルテレビジョン放送受信装置１００で実行されるコンテンツ処理プログラムをインターネット等のネットワーク経由で提供または配布するように構成しても良い。
【００８２】
なお、本発明は、上記実施形態そのままに限定されるものではなく、例として提示したものであり、発明の範囲を限定することは意図していない。実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００８３】
１００…デジタルテレビジョン放送受信装置、１５０…おすすめ管理サーバ、１６１…第１の事業者サーバ、１６２…第２の事業者サーバ、１８０…通信ネットワーク、３０１…第１のＷｅｂブラウザ、３０２…第２のＷｅｂブラウザ、３０３…表示制御部、３０４…送信部、３０５…受信部、３０６…選択受付部、３０７…設定制御部
【図１】
0005362084.tif 000002
【図２】
0005362084.tif 000003
【図３】
0005362084.tif 000004
【図４】
0005362084.tif 000005
【図５】
0005362084.tif 000006
【図６】
0005362084.tif 000007
【図７】
0005362084.tif 000008
【図８】
0005362084.tif 000009
【図９】
0005362084.tif 000010
【図１０】
0005362084.tif 000011
【図１１】
0005362084.tif 000012